(57)【要約】【課題】防犯性能を良好に維持できながら、室内筒などの室内側金具を締め込んでもドアが変形せず、室外側からの雨水などの浸入を防止でき、しかも、ドアの厚みが異なっても同じ部品で対応することが可能なドアスコープを提供する。【解決手段】ドア１に設けられた嵌合孔２ａ、２ｂを介して、室外鍔部１３ａを有する室外筒１３と、室内鍔部１４ａを有する室内筒１４と、が組み付けられ、レンズ類１１Ａ、１１Ｂ、１２を備えるドアスコープ１０である。さらに、室外筒１３の後部に組付けられ、室内筒１４の内側に互いに周方向に相対移動可能な状態で挿入される室内外連結筒１５と、室内外連結筒１５と室内筒１４との間に配設されて、室内筒１４を室内鍔部１４ａがドア１の室内面部１ｂに密着する方向に付勢するとともに、室外筒１３を室外鍔部１３ａがドア１の室外面部１ａに密着する方向に付勢する付勢手段１６と、を備えている。【選択図】図１
2019173416.tif 000002
【特許請求の範囲】
【請求項１】
ドアに設けられた嵌合孔を介して、室外鍔部を有する室外筒と、室内鍔部を有する室内筒と、が組み付けられ、レンズ類を備えるドアスコープであって、
室外筒の後部に組付けられ、室内筒の内側に互いに周方向に相対移動可能な状態で挿入される室内外連結筒と、
室内外連結筒と室内筒との間に配設されて、室内筒を室内鍔部がドアの室内面部に密着する方向に付勢するとともに、室外筒を室外鍔部がドアの室外面部に密着する方向に付勢する付勢手段と、
を備えていることを特徴とするドアスコープ。
【請求項２】
室外筒のドアの嵌合孔に嵌合する箇所の断面形状およびドアの室外筒に嵌合する箇所の断面形状の少なくとも一方が、直線部や凹凸部などを有しない単なる丸形であり、室外筒を周方向に回転した場合でもドアの嵌合孔に対して周方向には係合しない形状としていることを特徴とする請求項１に記載のドアスコープ。
【請求項３】
室内外連結筒の室内側端部に、室内外連結筒を回転する回転用治具に係合可能な治具係合部が形成されていることを特徴とする請求項１または２に記載のドアスコープ。
【請求項４】
室内外連結筒の室外側部分外周に、内側に付勢手段が配置された室内筒の室外側端部に当接して、室内外連結筒と付勢手段と室内筒とを一体化するリング体が嵌合されていることを特徴とする請求項１〜３の何れか１項に記載のドアスコープ。
【請求項５】
室内筒の室内側部分内周に、室内外連結筒を回転する回転用治具を保持できる弾性体が嵌合されていることを特徴とする請求項１〜３の何れか１項に記載のドアスコープ。
【発明の詳細な説明】
【技術分野】
【０００１】
本発明はドアスコープに関し、特に、いわゆる防犯タイプのドアスコープに関する。
【背景技術】
【０００２】
玄関ドアなどに貫通して組み付けられて（装着されて）、室内側から室外側の来訪者や様子などを視認できるように構成されているドアスコープは既に広く知られている。このドアスコープは、室外側から回すことによって外れることがないように防止するいわゆる防犯タイプのものと、このような工夫のない非防犯タイプのものとの、大きく分けて２種類のものがある。
【０００３】
このように、ドアスコープは、それぞれの種類により、ドアへの取付構造が異なるため、このドアスコープを取り付けるドアの孔加工なども種類により異なっており、多くの種類の加工方法がある。また、防犯タイプのものとして、室外側から回転できないようにドアスコープ６０の外周部分の一部に平面部６１を形成するとともに、この形状に対応して直線部（平面部に対応する直線部分）５１を有する丸形の嵌合孔５２をドア５０に形成することがある（図２１、図２２参照）。
【０００４】
なお、防犯タイプのドアスコープとしては、例えば特許文献１などに開示されているように、室内側に取り付ける金具をコインや回転用治具などにより回してドアに締め込んで取り付ける方式が多く用いられている。
【先行技術文献】
【特許文献】
【０００５】
【特許文献１】特開２００４−３１６０７４公報
【発明の概要】
【発明が解決しようとする課題】
【０００６】
しかしながら、従来の防犯タイプのドアスコープをドアへ装着する際、室内側の金具をコインや回転用治具などで強く締めすぎるとドアが内側に窪むように変形したり、直線部やその近傍が変形したりするなどして損傷する恐れがあった。したがって、このような不具合が生じないように、実際の現場においては、室内側の金具を軽く締めることが多くなり、その結果、室外側に臨む金具が外側から回し易くなって、所望の防犯性能が維持できない恐れがあった。
【０００７】
また、室外側に臨む金具が外側から回し易い状態で取り付けられている場合には、室外側とドアとの密着性能が低いため、これらの間の隙間から雨水などが浸入する恐れもあった。
【０００８】
また、ドアの厚みに対応して、寸法の異なる複数の種類の部品を揃えなければならないため、製造コストが増加するという課題もあった。
【０００９】
本発明は、上記課題を解決するもので、防犯性能を良好に維持できながら、室内筒などの室内側金具を締め込んでもドアが変形することがないように構成することが可能となるとともに、室外側から雨水などが浸入することを防止でき、しかも、ドアの厚みが異なっても同じ部品で対応することが可能なドアスコープを提供することを目的とするものである。
【課題を解決するための手段】
【００１０】
上記課題を解決するために、本発明は、ドアに設けられた嵌合孔を介して、室外鍔部を有する室外筒と、室内鍔部を有する室内筒と、が組み付けられ、レンズ類を備えるドアスコープであって、室外筒の後部に組付けられ、室内筒の内側に互いに周方向に相対移動可能な状態で挿入される室内外連結筒と、室内外連結筒と室内筒との間に配設されて、室内筒を室内鍔部がドアの室内面部に密着する方向に付勢するとともに、室外筒を室外鍔部がドアの室外面部に密着する方向に付勢する付勢手段と、を備えていることを特徴とする。
【００１１】
この構成において、このドアスコープをドアに組み付ける際には、室外筒をドアの室外側から挿入し、また、室内外連結筒と室内筒との間に付勢手段を配設させた状態で、室内外連結筒および室内筒などを室内側から挿入して、室内外連結筒を室外筒に組み付ける。これにより、付勢手段の付勢力によって、室外筒はその室外鍔部がドアの室外面部に密着する方向に付勢され、室内筒もその室内鍔部がドアの室内面部に密着する方向に付勢される。また、室外筒および室内外連結筒は、室内筒に対して相対的に回転自在な状態で、ドアスコープをドアに組み付けることができる。
【００１２】
この場合に、室内外連結筒と室内筒とは互いに周方向に移動自在であるため、室内外連結筒を室外筒にねじ込むなどして組み付けても、ドアの室外面部や室内面部が変形することがないように構成することが可能となる。また、ドアスコープの組付け時には、室内外連結筒を最後までねじ込むなどして組付けて、ドアスコープを強固に組み付けることができる。また、室外筒の室外鍔部を回転されることがあっても、室内外連結筒とともに室外筒も回るだけであって、室外筒が外れることがない。また、室外筒は付勢手段の付勢力によって、室外鍔部がドアの室外面部に密着する方向に付勢されているため、室外鍔部をドアの室外面部に対して隙間なく組み付けることが可能となり（パッキンなどを介して密着して組み付けてもよい）、室外側から雨水などが浸入することを防止できる。さらに、ドアの厚みが多少異なっても、付勢手段の伸縮状態がその厚みにより異なるだけで、同じ部品を用いて組み付けることが可能である。
【００１３】
また、本発明のドアスコープは、室外筒のドアの嵌合孔に嵌合する箇所の断面形状およびドアの室外筒に嵌合する箇所の断面形状の少なくとも一方が、直線部や凹凸部などを有しない単なる丸形であり、室外筒を周方向に回転した場合でもドアの嵌合孔に対して周方向には係合しない形状としていることを特徴とする。この構成によれば、室外筒の室外鍔部を回転されることがあっても、室内外連結筒とともに室外筒も回るだけであって、室外筒が外れ易くなることがなく、室外筒のドアの嵌合孔に嵌合する箇所の断面形状を、室外筒を周方向に回転した場合でもドアの嵌合孔に対して周方向には係合しない形状としているので、ドアの嵌合孔が設けられている箇所が変形することがない。
【００１４】
また、本発明のドアスコープは、室内外連結筒の室内側端部に、室内外連結筒を回転する回転用治具に係合可能な治具係合部が形成されていることを特徴とする。この構成によれば、回転用治具を室内側から室内外連結筒の治具係合部に係合させて回転することで、ドアスコープをドアに良好に組み付けることができる。
【００１５】
また、本発明のドアスコープは、室内外連結筒の室外側部分外周に、内側に付勢手段が配置された室内筒の室外側端部に当接して、室内外連結筒と付勢手段と室内筒とを一体化するリング体が嵌合されていることを特徴とする。この構成によれば、室内外連結筒と付勢手段と室内筒とをリング体により一体化することができる。したがって、予めリング体を用いて室内外連結筒と付勢手段と室内筒とをリング体により一体化した後に、ドアが設けられている現場で、それぞれ凹レンズなどを組み付けた室外筒と、室内筒などを一体化した室内外連結筒とを連結するだけで、当該ドアスコープをドアに組み付けることができる。
【００１６】
また、本発明のドアスコープは、室内筒の室内側部分内周に、室内外連結筒を回転する回転用治具を保持できる弾性体が嵌合されていることを特徴とする。これにより、室内外連結筒を回転する際に回転用治具が脱落しない状態で回転することができる。また、予め、回転用治具を室内外連結筒に嵌合させて保持させた状態で、製品を納入することも可能となる。
【発明の効果】
【００１７】
本発明によれば、室外筒の後部に組付けられ、室内筒の内側に互いに周方向に相対移動可能な状態で挿入される室内外連結筒と、室内外連結筒と室内筒との間に配設されて、室内筒を室内鍔部がドアの室内面部に密着する方向に付勢するとともに、室外筒を室外鍔部がドアの室外面部に密着する方向に付勢する付勢手段と、を備えることにより、ドアの室外面部や室内面部が変形することなく、ドアスコープを強固に組み付けることが可能となって、防犯性能を良好に維持できる。また、例え、室外筒の室外鍔部を回転されることがあっても、室内外連結筒とともに回るだけであって、室外筒が外れることはないため、これによっても防犯性能を良好に維持でき、ドアが変形することもない。また、室外筒は付勢手段の付勢力によって、室外鍔部がドアの室外面部に密着する方向に付勢されており、室外鍔部をドアの室外面部に対して隙間なく組み付けることが可能となり、室外側から雨水などが浸入することを防止できる。さらに、ドアの厚みが多少異なっても、付勢手段の伸縮状態がその厚みにより異なるだけで、同じ部品を用いて組み付けることが可能であるため、製造コストを低減することができる。
【００１８】
また、室内外連結筒の室内側端部に、室内外連結筒を回転する回転用治具に係合可能な治具係合部を形成し、治具係合部が形成されている室内外連結筒を室内筒より室内側に突出させないように（室内筒の内部に位置するように）配置することで、治具係合部が室内側に露出しないように配設できて、安全性を高めることができる。つまり、従来の一般的なドアスコープでは、室内筒の鍔部にコイン等で取り付けるための溝が切られており、この溝が取り付け後も表面に出ているため、触ると手を傷つけてしまう場合があるが、上記構成によれば、室内外連結筒を取り付けると治具係合部（溝）が室内筒の内部に入り込み、手で触れる場所に位置しないため、安全性に優れたものとなる。
【００１９】
また、室内外連結筒の室外側部分外周に、内側に付勢手段が配置された室内筒の室外側端部に当接して、室内外連結筒と付勢手段と室内筒とを一体化するリング体を嵌合させることにより、ドアが設けられている現場では、凹レンズなどを組み付けた室外筒と、室内筒などを一体化した室内外連結筒とを連結するだけで、当該ドアスコープをドアに容易に組み付けることができ、現場での作業性が良好となる。
【００２０】
また、室内筒の室内側部分内周に、室内外連結筒を回転する回転用治具を保持できる弾性体を嵌合することにより、室内外連結筒を回転する際に回転用治具が脱落しない状態で回転することができて便利である。また、予め、回転用治具を室内外連結筒に嵌合させて保持させた状態で、製品を納入することも可能となる。
【図面の簡単な説明】
【００２１】
【図１】本発明の実施の形態に係るドアスコープおよびドアの縦断面図である。
【図２】同ドアスコープの側面図である。
【図３】同ドアスコープの斜視図である。
【図４】ドアの室外面部嵌合孔の正面図である。
【図５】ドアの室内面部嵌合孔の正面図（ドアの背面図）である。
【図６】同ドアスコープの室外筒などの縦断面図である。
【図７】同ドアスコープの室外筒などの分解断面図である。
【図８】同ドアスコープの室内筒および室内外連結筒などの縦断面図である。
【図９】同ドアスコープの室内筒および室内外連結筒などの分解断面図である。
【図１０】同ドアスコープを装着する際のドアスコープおよび回転用治具を示す斜視図である。
【図１１】同ドアスコープをドアに装着する状態を示す縦断面図である。
【図１２】同ドアスコープを厚いドアに装着した状態を示す縦断面図である。
【図１３】本発明の他の実施の形態に係るドアスコープおよびドアの縦断面図である。
【図１４】同他の実施の形態に係るドアスコープの室内筒および室内外連結筒などの縦断面図である。
【図１５】同他の実施の形態に係るドアスコープの室内筒および室内外連結筒などの分解断面図である。
【図１６】同他の実施の形態に係るドアスコープをドアに装着する状態を示す縦断面図である。
【図１７】本発明の実施の形態に係る変形例のドアスコープをドアに装着する状態を示すドアの室外面部嵌合孔の正面図である。
【図１８】本発明の実施の形態に係る他の変形例のドアスコープをドアに装着する状態を示すドアの室外面部嵌合孔の正面図である。
【図１９】本発明のさらに他の実施の形態に係るドアスコープおよびドアの縦断面図である。
【図２０】同さらに他の実施の形態に係るドアスコープの室外筒などと、室内筒および室内外連結筒などの縦断面図である。
【図２１】従来のドアスコープをドアに装着する状態を示すドアの室外面部嵌合孔の正面図である。
【図２２】従来の他のドアスコープをドアに装着する状態を示すドアの室外面部嵌合孔の正面図である。
【発明を実施するための形態】
【００２２】
以下、本発明の実施の形態に係るドアスコープを、図面に基づき説明する。なお、ドアスコープを構成する各構成要素の説明において、ドアスコープがドアに組み付けられる際に、室外側となる側を前側、室内側となる側を後側とも称する場合がある。
【００２３】
図１〜図３などにおいて、１は玄関用ドアなどのドア、１ａはドア１の室外面部、１ｂはドア１の室内面部、１０は、このドア１に組付けられる本発明の実施の形態に係るドアスコープである。図４、図５などに示すように、ドア１には、ドアスコープ１０を挿通させて組み付けるための丸形（円形）の嵌合孔（丸孔）２（２ａ、２ｂ）がドア１の室外面部１ａと室内面部１ｂとを貫通して形成されている。なお、ドア１の嵌合孔２（２ａ、２ｂ）は直線部や凹凸部などを有しない単なる丸形（円形）である。また、図１における１ｃは、断熱材（断熱材以外のものでもよい）などで構成されてドア１の室外面部１ａと室内面部１ｂとの間に内装されている内部材である。
【００２４】
図１〜図３および図６〜図８などに示すように、ドアスコープ１０は、室外鍔部１３ａなどを有し、ドア１の室外側から組み付けられる室外筒１３と、室外筒１３の内部に設けられる一対の凹レンズ１１Ａ、１１Ｂと、室内鍔部１４ａなどを有し、室内側から組み付けられる室内筒１４と、室内筒１４の内側に互いに周方向に相対移動可能な状態で挿入されて、室外筒１３に連結される室内外連結筒１５と、室内外連結筒１５の内部に設けられる１つの凸レンズ１２と、室内外連結筒１５と室内筒１４との間に配設された付勢手段としての付勢ばね１６となどを備えている。また、この実施の形態では、室外筒１３の室外鍔部１３ａとドア１の室外面部１ａとの間にパッキン１７が装着されるが、パッキン１７は必要に応じて設けるとよい。
【００２５】
図６、図７などに示すように、この実施の形態では、室外筒１３が外部室外筒１３Ａと内部室外筒１３Ｂとから構成されている。外部室外筒１３Ａは、その室外側（前側）端部外周に、外周側に突出する室外鍔部１３ａが、パッキン１７を介してドア１の室外面部１ａに密着するように形成されているとともに、室外側内周には、内周側にわずかに突出する突部１３ｂが形成されている。また、室外筒１３（外部室外筒１３Ａ）のドア１の室外面部１ａに嵌合する箇所（嵌合部１３ｆ）の断面形状が、直線部や凹凸部などを有しない単なる丸形とされており、これに対応してドア１の室外面部１ａの嵌合孔２（２ａ）も直線部や凹凸部などを有しない単なる丸形（円形）とされている。すなわち、室外筒１３（外部室外筒１３Ａ）のドア１の室外面部１ａに嵌合する箇所（嵌合部１３ｆ）の断面形状が、室外筒１３を周方向に回転した場合でもドア１の嵌合孔２（２ａ）に対して周方向には係合しない形状としている。なお、室外鍔部１３ａの外周面には、外周側程薄肉となるような傾斜面（テーパ面）形状とすると、この室外筒１３を室外側から回転し難くなるので好適であるが、これに限るものではない。
【００２６】
外部室外筒１３Ａは室内側（後側）内周に、内部室外筒１３Ｂに形成された雄ねじ部１３ｃと螺合する雌ねじ部１３ｄが形成されている。そして、外部室外筒１３Ａの内側に、対となった凹レンズ１１Ａ、１１Ｂが嵌め込まれた状態で、外部室外筒１３Ａの雌ねじ部１３ｄに、内部室外筒１３Ｂの雄ねじ部１３ｃが螺合されることで、凹レンズ１１Ａ、１１Ｂが収容された室外筒１３が一体化されている。また、室外筒１３の内部室外筒１３Ｂの内周には、室内外連結筒１５と連結するための雌ねじ部１３ｅが内周面に（より詳しくは後側に開口する状態で）形成されている。すなわち、室外筒１３の後部には、室内外連結筒１５を組み付けるための雌ねじ部１３ｅが形成されている。
【００２７】
図８、図９などに示すように、室内筒１４は、その室内側（後側）端部外周に、外周側に突出してドア１の室内面部１ｂに密着する室内鍔部１４ａが形成されている。また、室内筒１４は、室外側（前側）端部に内周側に突出する突条部１４ｂが形成され、突条部１４ｂには、付勢手段としての付勢ばね１６の室外側端部（前端部分）が当接される。
【００２８】
室内外連結筒１５は、内周部の一部に段付部１５ａが形成され、この室内外連結筒１５の内側の段付部１５ａが形成されている箇所まで、凸レンズ１２が室内側（後側）から嵌め込まれた後に、樹脂製などの弾性を有する環状の押さえ材１８が室内側（後側）から嵌め込まれて、凸レンズ１２が保持される。また、室内外連結筒１５の室内側端部（後端部）には外周側に突出する突条部１５ｂが形成され、この突条部１５ｂに、付勢手段としての付勢ばね１６の室内側（後側）端部が当接された状態で、室内外連結筒１５と室内筒１４との間に付勢ばね１６が配設される。また、室内外連結筒１５の室内側端部（後端部）に形成された突条部１５ｂには、この室内外連結筒１５を回転する回転用治具１９の先端部１９ａ（図１０、図１１参照）が係合する治具係合部１５ｃが形成され、この実施の形態では、治具係合部１５ｃは凹形状の溝部が周方向２箇所（周方向１８０度毎）に形成されて構成されている。なお、治具係合部１５ｃは回転用治具１９の先端部１９ａが係合する形状であればよく、回転用治具１９の先端部１９ａを凹形状、治具係合部１５ｃを凸形状に形成してもよい。
【００２９】
室内外連結筒１５は、室外側部分外周（外周面における前側寄り箇所）に、室内外連結筒１５と室内筒１４との間に付勢ばね１６を配設した状態で、これらを一体化するリング体２０を嵌め込む溝部１５ｄが形成されている。リング体２０は例えば、ナイロンなどの樹脂からなる円環状の弾性体で構成され、室内外連結筒１５に嵌め込まれる際には、一時的に径方向に拡げられるよう構成されると好適であるが、これに限るものではなく、円環状の一部が切欠かれた、いわゆる一つ割形状のものを用いてもよい。
【００３０】
さらに、室内外連結筒１５は、先端部外周（室外側部分外周であり、より詳しくは、外周面における溝部１５ｄよりも室外側領域）に、雄ねじ部１５ｅが形成されている。この室内外連結筒１５の雄ねじ部１５ｅは、一体化された室内外連結筒１５、室内筒１４、付勢ばね１６などが、ドア１内部に室内側から挿入された状態で、室外筒１３の雌ねじ部１３ｅに螺合されることで、当該ドアスコープ１０が一体化される。
【００３１】
当該ドアスコープ１０をドア１に組み付ける際には、前もって、当該ドアスコープ１０を製品化する工場などにおいて、凹レンズ１１Ａ、１１Ｂを内装した状態で、室外筒１３の外部室外筒１３Ａと内部室外筒１３Ｂとを一体化し、外部室外筒１３Ａの外周にパッキン１７を嵌め込む。（図６、図７参照）
【００３２】
また、並行して、内部に凸レンズ１２、押さえ材１８を収容した室内外連結筒１５の外周に付勢ばね１６を前側から嵌め込み、さらにこの外周に室内筒１４およびリング体２０を前側から嵌め込んで、室内外連結筒１５、付勢ばね１６、室内筒１４などを一体化する。
【００３３】
そして、図１０、図１１に示すように、ドアスコープ１０の組付対象となるドア１がある現場において、ドア１の室外側から室外筒１３（凹レンズ１１Ａ、１１Ｂが内装されている）を挿入するとともに、また、ドア１の室内側から室内筒１４および室内外連結筒１５（凸レンズ１２や付勢ばね１６が内装されている）を挿入し、回転用治具１９を室内外連結筒１５に係合させて回転することにより、室内外連結筒１５の雄ねじ部１５ｅを室外筒１３の雌ねじ部１３ｅにねじ込む（締め込む）。これにより、図１に示すように、付勢手段としての付勢ばね１６の付勢力によって、室外筒１３はその室外鍔部１３ａがドア１の室外面部１ａに密着する方向に付勢され、室内筒１４はその室内鍔部１４ａがドアの室内面部１ｂに密着する方向に付勢される。また、室外筒１３および室内外連結筒１５は、室内筒１４に対して相対的に回転自在な状態で、ドアスコープ１０をドア１に組み付けることができる。
【００３４】
この場合に、室外筒１３と室内外連結筒１５とは雌ねじ部１３ｅと雄ねじ部１５ｅとで連結され、これらは室内筒１４とは分離されている。また、室外筒１３（外部室外筒１３Ａ）のドア１の室外面部１ａに嵌合する箇所（嵌合部１３ｆ）の断面形状が、室外筒１３を周方向に回転した場合でもドア１の嵌合孔２（２ａ）に対して周方向には係合しない形状（この実施の形態では、ドア１の嵌合孔２ａもこれに嵌合する外部室外筒１３Ａの断面形状も直線部や凹凸部などを有しない単なる丸形）としている。したがって、室内外連結筒１５の雄ねじ部１５ｅを室外筒１３の雌ねじ部１３ｅに最後までねじ込んでも、ドア１の室外面部１ａや室内面部１ｂが変形することはなく、したがって、ドアスコープ１０の組付け時には、室内外連結筒１５を最後までねじ込んで、ドアスコープ１０を強固かつ良好に組み付けることができる。また、室内外連結筒１５の雄ねじ部１５ｅを室外筒１３の雌ねじ部１３ｅに最後までねじ込むことで、凹レンズ１１Ａ、１１Ｂと凸レンズ１２とが適正位置に配置されて、ピントが合った状態で見ることが可能となる。
【００３５】
また、室外筒１３は付勢手段としての付勢ばね１６の付勢力によって、室外鍔部１３ａがドア１の室外面部１ａに密着する方向に付勢されているため、室外鍔部１３ａをドア１の室外面部１ａに対して隙間なく組み付けることが可能となり（この実施の形態のようにパッキン１７などを介して密着して組み付けてもよい）、室外側から雨水などが浸入することを防止できる。
【００３６】
さらに、図１２に示すように、ドア１の厚みが多少異なっても（図１２は、図１に示す場合よりも、ドア１が厚い場合を示す）、付勢手段としての付勢ばね１６の伸縮状態がその厚みにより異なるよう配置されて、ドアスコープ１０を同じ部品を用いて組み付けることが可能であり、この結果、製造コストを低減することができる。すなわち、例え、図１２に示す場合よりもさらにドア１の厚みが大きい場合でも、室内外連結筒１５に対して室内筒１４が相対的に後方になるよう、付勢ばね１６が収縮した状態で配置されるだけであり、ドアスコープ１０を同じ部品を用いて組み付けることが可能であり、ひいては、製造コストを低減することができる。
【００３７】
また、上記構成によれば、図１などに示すように、室内外連結筒１５の室内側端部に、室内外連結筒１５を回転する回転用治具１９に係合可能な係合部（治具係合部）１５ｃを形成し、係合部（治具係合部）１５ｃが形成されている室内外連結筒１５を室内筒１４より室内側に突出させないように（室内筒１４の内部に位置するように）配置することで、係合部１５ｃが室内側に露出しないように配設できて、安全性を高めることができる。つまり、従来の一般的なドアスコープでは、室内筒の鍔部にコイン等で取り付けるための溝が切られており、この溝が取り付け後も表面に出ているため、触ると手を傷つけてしまう場合があるが、上記構成によれば、室内外連結筒１５を取り付けると係合部（治具係合部の溝）１５ｃが室内筒１４の内部に入り込み、手で触れる場所に位置しないため、安全性に優れたものとなる。
【００３８】
また、上記構成によれば、室内外連結筒１５の室外側部分外周に、内側に付勢ばね１６が配置された室内筒１４の室外側端部に当接して、室内外連結筒１５と付勢ばね１６と室内筒１４とを一体化するリング体２０を嵌合させることにより、ドア１が設けられている現場では、それぞれ凹レンズ１１Ａ、１１Ｂなどを組み付けた室外筒１３と、室内筒１４などを一体化した室内外連結筒１５とを連結するだけで、当該ドアスコープ１０をドア１に容易に組み付けることができ、現場での作業性が良好となる。
【００３９】
なお、図１３〜図１６に示すように、室内筒１４の室内側部分内周に、室内外連結筒１５を回転する回転用治具１９を保持できる弾性体２１を嵌合してもよい。なお、これらの図における１４ｃは、室内筒１４の室内側部分内周に弾性体２１を嵌合させるための溝部である。そして、製品として出荷する場合などに、室内外連結筒１５や室内筒１４に、弾性体２１を介して、回転用治具１９を保持させた状態で出荷するよう構成してもよい。
【００４０】
このように、室内筒１４の室内側部分内周に、室内外連結筒１５を回転する回転用治具１９を保持できる弾性体２１を嵌合することにより、室内外連結筒１５を回転する際に回転用治具１９が脱落しない状態で回転することができて便利である。また、予め、回転用治具１９を室内外連結筒１５に嵌合させて保持させた状態で、製品を納入することも可能となる。
【００４１】
また、図１３〜図１６に示すように、室外筒１３の内部に、凹レンズ１１Ａ、１１Ｂを、接着剤などを介して装着し、室外筒１３自体を１つの部品で構成するようにしてもよく、この場合には、室外筒１３の部品点数を削減できる利点がある。
【００４２】
また、上記実施の形態では、ドア１の嵌合孔２ａもこれに嵌合する外部室外筒１３Ａや室外筒１３の断面形状も直線部や凹凸部などを有しない単なる丸形である場合を述べたが、これに限るものではなく、室外筒１３（外部室外筒１３Ａ）のドア１の室外面部１ａに嵌合する箇所（嵌合部１３ｆ）の断面形状が、室外筒１３を周方向に回転した場合でもドア１の嵌合孔２（２ａ）に対して周方向には係合しない形状であればよい。
【００４３】
例えば、図１７に示すように、ドア１の嵌合孔２ａが直線部や凹凸部などを有しない単なる丸形である一方、これに嵌合する室外筒１３（外部室外筒１３Ａ）の断面形状が平面部（直線部）１３ｇ（あるいは凹凸部）を有していてもよく、このような構成の場合でも、ドア１に対して、室外筒１３（外部室外筒１３Ａ）を周方向に回転してもドア１が変形するなどの不具合が発生することは防止できる。
【００４４】
また、図１８に示すように、室外筒１３（外部室外筒１３Ａ）のドア１の嵌合孔２ａに嵌合する箇所の断面形状が直線部や凹凸部などを有しない単なる丸形であり、ドア１の嵌合孔２ａの断面形状が凹凸部２ｃ（あるいは平面部（直線部））を有していてもよく、このような構成の場合でも、ドア１に対して、室外筒１３（外部室外筒１３Ａ）を周方向に回転してもドア１が変形するなどの不具合が発生することは防止できる。
【００４５】
また、上記実施の形態では、室内外連結筒１５と室内筒１４との間に配設される付勢手段としてばね（付勢ばね１６）が用いられている場合を述べたが、これに限るものではなく、伸縮する弾性体などを付勢手段として用いてもよい。
【００４６】
また、上記実施の形態では、室外筒１３の内部に凹レンズ１１Ａ、１１Ｂを設け、室内外連結筒１５の内部に凸レンズ１２を設けた場合を述べたが、これに限るものではなく、図１９、図２０に示すように、室外筒１３の内部に、凹レンズ１１Ａ、１１Ｂおよび凸レンズ１２を設けてもよい。また、室外の箇所を拡大して視認できる構成であれば、レンズ以外のもの（例えば撮像手段など）を組み付けるようにしてもよい。
【００４７】
また、上記実施の形態では、室外筒１３と室内外連結筒１５との組付け構造として、室外筒１３に雌ねじ部１３ｃを形成し、室内外連結筒１５に雄ねじ部１５ｅを形成した場合を述べた。しかし、これに限るものではなく、図１９、図２０に示すように、室外筒１３の後部に雄ねじ部１３ｆを形成し、これに噛み合うように、室内外連結筒１５に雌ねじ部１５ｆを形成してもよい。また、室外筒１３と室内外連結筒１５とを互いに組付けることが可能な構造であれば、このような組付け構造に限るものではなく、ねじ以外の組付け構造であってもよい。
【符号の説明】
【００４８】
１      ドア
１ａ    室外面部
１ｂ    室内面部
２、２ａ、２ｂ    嵌合孔
１０    ドアスコープ
１１Ａ、１１Ｂ    凹レンズ
１２    凸レンズ
１３    室外筒
１３Ａ  外部室外筒
１３Ｂ  内部室外筒
１３ａ  室外鍔部
１３ｅ  雌ねじ部
１３ｆ  嵌合部
１４    室内筒
１４ａ  室内鍔部
１５    室内外連結筒
１６    付勢ばね（付勢手段）
１８    押さえ材
１９    回転用治具
２０    リング体
２１    弾性体
【図１】
2019173416.tif 000003
【図２】
2019173416.tif 000004
【図３】
2019173416.tif 000005
【図４】
2019173416.tif 000006
【図５】
2019173416.tif 000007
【図６】
2019173416.tif 000008
【図７】
2019173416.tif 000009
【図８】
2019173416.tif 000010
【図９】
2019173416.tif 000011
【図１０】
2019173416.tif 000012
【図１１】
2019173416.tif 000013
【図１２】
2019173416.tif 000014
【図１３】
2019173416.tif 000015
【図１４】
2019173416.tif 000016
【図１５】
2019173416.tif 000017
【図１６】
2019173416.tif 000018
【図１７】
2019173416.tif 000019
【図１８】
2019173416.tif 000020
【図１９】
2019173416.tif 000021
【図２０】
2019173416.tif 000022
【図２１】
2019173416.tif 000023
【図２２】
2019173416.tif 000024